(57)【要約】【課題】所持するカードの利用状況に関するカード利用情報、カード利用特典によって受けることができるサービスに関するカード付随情報、及び購入予定の商品の仮想購入情報から、希望するサービスを受けるためにどのようなカード利用方法が適しているかを提示できるカード利用一括管理システム及び管理方法を提供する。【解決手段】カード利用一括管理システム１００は、ユーザ端末４００から利用するカード番号等のカード情報Ｉｃを受け付け、カード毎にカード会社のコンピュータ３００から、カード利用者のカード利用情報Ｉｕ及びポイント制度、キャンペーン等のカード付随情報Ｉｓを取得する。カード利用一括管理システム１００は、ユーザ端末４００からカード利用予定の仮想購入情報Ｉｂと、カード利用者が希望するサービスの候補条件を受付け、これら情報Ｉｃ，Ｉｕ，Ｉｓ，Ｉｂに基づいて、希望するサービスを受けるに適したカード利用方法を、カード利用者に提示すると共に、ポイント制度、キャンペーン等の申込をカード利用者から受け付け、カード会社に申込登録を行う。【選択図】　図１
2004038742.tif 000002
【特許請求の範囲】
【請求項１】
少なくとも一のカード会社のコンピュータと複数のユーザ端末とに、ネットワークを介して接続されるカード利用一括管理システムであって、
カード会社のコンピュータから、カード利用特典によってユーザが受けることができるサービスに関するカード付随情報を取得して蓄積するカード付随情報蓄積手段と、
ユーザ端末から受信したカード情報に記載されたカード会社のコンピュータから、当該カード情報によって特定されるカード利用者のカード利用情報を取得するカード利用情報取得手段と、
ユーザ端末から受信した当該カード利用者の仮想購入情報に基づき、前記カード利用情報取得手段によって取得された当該カード利用者のカード利用情報を仮想更新する仮想演算手段と、
ユーザ端末から受信した当該カード利用者の希望サービスの候補条件に基づき、前記カード付随情報蓄積手段から当該候補条件を備えた候補サービスに関するカード付随情報を検索する候補サービス検索手段と、
該候補サービス検索手段によって検索された当該候補サービスに関するカード付随情報と、前記仮想演算手段によって仮想更新された当該カード利用者のカード利用情報とに基づいて、当該候補サービスを利用するためのカード利用方法の推奨データを生成し、ユーザ端末に出力する推奨データ出力手段と
を備えていることを特徴とするカード利用一括管理システム。
【請求項２】
前記推奨データ出力手段によって推奨データが出力されたユーザ端末から受信した候補サービスの申込を受付け、当該候補サービス提供元のカード会社に申込登録を行う申込受付登録手段を備えていることを特徴とする請求項１記載のカード利用一括管理システム。
【請求項３】
少なくとも一のカード会社のコンピュータと複数のユーザ端末とに、ネットワークを介して接続されるカード利用一括管理システムに利用される管理方法であって、
カード会社のコンピュータから、カード利用特典によってユーザが受けることができるサービスに関するカード付随情報をカード付随情報蓄積手段に取得して蓄積するカード付随情報取得ステップと、
ユーザ端末から受信したカード情報に記載されたカード会社のコンピュータから、当該カード情報によって特定されるカード利用者のカード利用情報を取得するカード利用情報取得ステップと、
ユーザ端末から受信した当該カード利用者の仮想購入情報に基づき、前記カード利用情報取得ステップによって取得された当該カード利用者のカード利用情報を仮想更新する仮想演算ステップと、
ユーザ端末から受信した当該カード利用者の希望サービスの候補条件に基づき、前記カード付随情報蓄積手段から当該候補条件を備えた候補サービスに関する情報を検索する候補サービス検索ステップと、
該候補サービス検索ステップによって検索された当該候補サービスに関する情報と、前記仮想演算ステップによって仮想更新された当該カード利用者のカード利用情報とに基づいて、当該候補サービスを利用するためのカード利用方法の推奨データを生成し、ユーザ端末に出力する推奨データ出力ステップと
を備えていることを特徴とするカード利用一括管理システムに利用される管理方法。
【発明の詳細な説明】
【０００１】
【発明の属する技術分野】
本発明は、カード利用者が所持するカードそれぞれのカード利用情報を管理するカード管理システムに係り、特に、カード利用情報、カード付随情報に基づいて、推奨するカード利用方法をカード利用者に提示することができるカード利用一括管理システム及び管理方法に関する。
【０００２】
【従来の技術】
従来、カード利用者、すなわちユーザは、カード発行元の会社（以下、カード会社と総称する）が提供する書類、又はインターネット上のカード会社のホームページ等から、ユーザ自身のカード利用状況に関するカード利用情報や、ポイント制度、キャンペーン等といったカード利用特典によってユーザが受けることができるサービスに関するカード付随情報を確認できる。
【０００３】
また、ユーザは、このカード利用特典よってユーザが受けることができるサービスのうち、ユーザが希望するサービスの申込も、電話、書類、インターネット上のホームページから、カード会社に対して行える。
そして、ユーザが複数のカードを所持している場合は、カード利用状況の確認、カード利用特典よってユーザが受けることができるサービスの確認、希望するサービスの申込等を、カード個別に、すなわちカード会社毎に、ユーザが行うようになっている。
【０００４】
【発明が解決しようとする課題】
しかし、上記従来技術は、ユーザのカード利用状況から、ユーザが希望するサービスを受けるためにどのようなカード利用方法が適しているかを、ユーザに提示するものではなかった。
また、ユーザが複数のカードを所持し、これら複数のカードそれぞれを利用している場合は、カード利用状況に関するカード利用情報や、カード利用特典によってユーザが受けることができるサービスに関するカード付随情報を、ユーザはカード会社毎に確認しなければならず、一括して確認できなかった。
【０００５】
この結果、ユーザが商品の購入を新たに予定している場合等、希望するサービスを受けるために適したカード利用方法を得るためには、ユーザは、所持するカード毎にカード利用情報、カード付随情報を確認し、利用状況や、ポイント制度、キャンペーン等といったカード利用特典によってユーザが受けることができるサービスについて、カード同士で比較しなければならなかった。
【０００６】
そして、この作業は、非常に手間がかかるため、実際に行うのは困難であるという問題があった。
さらに、ユーザが希望するサービスの申込も、カード会社毎に手続が異なるため、作業が面倒であるという問題もあった。
【０００７】
本発明は、上記の問題点に鑑みなされたものであって、ユーザの所持するカードそれぞれについて、カード利用状況に関するカード利用情報、ポイント制度、キャンペーン等といったカード利用特典によってユーザが受けることができるサービスに関するカード付随情報、及びユーザが新たに購入を予定している商品の仮想購入情報から、どのようなカード利用方法が、ユーザが希望するサービスを受けるために適しているかを、ユーザに提示するカード利用一括管理システム及び管理方法を提供することを目的とする。
【０００８】
また、本発明は、ポイント制度、キャンペーン等といったカード利用特典によってユーザが受けることができるサービスのうち、ユーザが希望するサービスの申込手続を、申込先のカード会社の別なく、簡単な手続で対応するカード会社に申し込み登録できるカード利用一括管理システムを提供することを目的とする。
【０００９】
【課題を解決するための手段】
本発明のカード利用一括管理システムによれば、少なくとも一のカード会社のコンピュータと複数のユーザ端末とに、ネットワークを介して接続されるカード利用一括管理システムであって、カード会社のコンピュータから、カード利用特典によってユーザが受けることができるサービスに関するカード付随情報を取得して蓄積するカード付随情報蓄積手段と、ユーザ端末から受信したカード情報に記載されたカード会社のコンピュータから、当該カード情報によって特定されるカード利用者のカード利用情報を取得するカード利用情報取得手段と、ユーザ端末から受信した当該カード利用者の仮想購入情報に基づき、前記カード利用情報取得手段によって取得された当該カード利用者のカード利用情報を仮想更新する仮想演算手段と、ユーザ端末から受信した当該カード利用者の希望サービスの候補条件に基づき、前記カード付随情報蓄積手段から当該候補条件を備えた候補サービスに関するカード付随情報を検索する候補サービス検索手段と、該候補サービス検索手段によって検索された当該候補サービスに関するカード付随情報と、前記仮想演算手段によって仮想更新された当該カード利用者のカード利用情報とに基づいて、当該候補サービスを利用するためのカード利用方法の推奨データを生成し、ユーザ端末に出力する推奨データ出力手段とを備えていることを特徴とする。
【００１０】
さらに、本発明のカード利用一括管理システムによれば、前記推奨データ出力手段によって推奨データが出力されたユーザ端末から受信した候補サービスの申込を受付け、当該候補サービス提供元のカード会社に申込登録を行う申込受付登録手段を備えていることを特徴とする。
【００１１】
また、本発明のカード利用一括管理システムに利用される管理方法は、少なくとも一のカード会社のコンピュータと複数のユーザ端末とに、ネットワークを介して接続されるカード利用一括管理システムに利用される管理方法であって、
カード会社のコンピュータから、カード利用特典によってユーザが受けることができるサービスに関するカード付随情報をカード付随情報蓄積手段に取得して蓄積するカード付随情報取得ステップと、ユーザ端末から受信したカード情報に記載されたカード会社のコンピュータから、当該カード情報によって特定されるカード利用者のカード利用情報を取得するカード利用情報取得ステップと、ユーザ端末から受信した当該カード利用者の仮想購入情報に基づき、前記カード利用情報取得ステップによって取得された当該カード利用者のカード利用情報を仮想更新する仮想演算ステップと、ユーザ端末から受信した当該カード利用者の希望サービスの候補条件に基づき、前記カード付随情報蓄積手段から当該候補条件を備えた候補サービスに関する情報を検索する候補サービス検索ステップと、該候補サービス検索ステップによって検索された当該候補サービスに関する情報と、前記仮想演算ステップによって仮想更新された当該カード利用者のカード利用情報とに基づいて、当該候補サービスを利用するためのカード利用方法の推奨データを生成し、ユーザ端末に出力する推奨データ出力ステップとを備えていることを特徴とする。
【００１２】
【発明の実施の形態】
以下、本発明のカード利用一括管理システム及び管理方法の好適な実施の形態について、添付図面を参照しながら詳細に説明する。
図１は、本発明の一実施の形態によるカード利用一括管理システムを適用した、カードシステム全体の構成を示すブロック図である。
【００１３】
図１において、本実施の形態のカード利用一括管理システム１００は、インターネット等の通信ネットワーク２００を介して、各カード会社のコンピュータ３００、…、各カード利用者のユーザ端末４００、…とデータ接続される。
ここで、カード利用者のユーザ端末４００は、カード利用者が所持するパーソナルコンピュータ（以下、ＰＣと称す）、携帯電話装置等のネットワーク端末機器である。
【００１４】
図２は、本実施の形態によるカード利用一括管理システムの構成を示すブロック図である。
本実施の形態では、カード利用一括管理システム１００は、カード情報取得部１１０、推奨データ生成部１２０、及び申込受付登録部１３０を備え、ユーザデータデータベース１４０、カード付随データデータベース１５０が接続されて構成されている（以下、データベースをＤＢと略称する）。
【００１５】
そして、推奨データ生成部１２０は、仮想購入情報受付部１２１、仮想ポイント演算部１２２、候補条件認識部１２３、候補データ検索部１２４、推奨データ出力部１２５を有する。
次に、上記各部の構成について、説明する。
【００１６】
カード情報取得部１１０は、ユーザ端末４００、…それぞれから通信ネットワーク２００を介して送信されてくるカード情報Ｉｃを受け付ける。この場合、カード情報Ｉｃとしては、カード利用者が所持するカードのカード番号、カード会社等に関する情報である。カード情報取得部１１０は、カード情報Ｉｃを受け付けると、カード情報Ｉｃのカード会社に対応するカード会社のコンピュータ３００から、カード情報Ｉｃのカード番号に対応するカード利用情報Ｉｕを取得し、ユーザデータＤＢ１４０に格納する。
【００１７】
また、カード情報取得部１１０は、このカード利用情報Ｉｕを取得する際、カード利用情報Ｉｕの取得先のカード会社のコンピュータ３００から、カード付随情報Ｉｓも取得し、カード付随データＤＢ１５０に格納する。この場合、カード付随情報Ｉｓは、ポイント制度、キャンペーン等といったカード利用特典によってユーザがカード会社から受けることができるサービスそれぞれに関する情報である。
【００１８】
推奨データ生成部１２０は、ポイント制度、キャンペーン等といったカード利用特典によってユーザが受けることができるサービスのうち、カード利用者が希望するサービスを受けるために適したカード、及びその利用方法を提示する。
そのために、推奨データ生成部１２０の上記各部は、次のような構成になっている。
【００１９】
仮想購入情報受付部１２１は、ユーザ端末４００、…から、カード利用者が新たに購入を予定している商品について入力した、購入商品分類、購入金額等に関する仮想購入情報Ｉｂを受け付け、この仮想購入情報Ｉｂを記憶する。
仮想ポイント演算部１２２は、ユーザ端末４００、…毎に、仮想購入情報受付部１２１が受け付けた仮想購入情報Ｉｂの購入金額で獲得できるサービスポイントを、カード情報取得部１１０によってユーザデータＤＢ１４０に格納されたカード利用情報Ｉｕ、又はカード付随データＤＢ１５０に格納されたカード付随情報Ｉｓに含まれている、ポイント料率データ（例えば、１ポイント／１００円）に基づいて演算し、後述する仮想累計ポイント数等の仮想ポイント数として、仮想購入情報受付部１２１に記憶する。
【００２０】
候補条件認識部１２３は、ユーザ端末４００、…から、ポイント制度、キャンペーン等といったカード利用特典によってユーザが受けることができるサービスから、カード利用者が希望するサービスの候補データを検索するための条件データを受け付け、その条件データを記憶する。
【００２１】
候補データ検索部１２４は、ユーザ端末４００、…毎に、候補条件認識部１２３で受け付けた条件データに適合する、カード利用特典によってユーザが受けられるサービスを、カード付随情報ＤＢ１５０に格納されたカード付随情報Ｉｓから検索し、その検索結果を、候補データすなわちカード利用者が希望するサービスに対する候補サービスのデータとして記憶する。
【００２２】
推奨データ出力部１２５は、カード情報取得部１１０によって取得され、ユーザデータＤＢ１４０に格納されているカード利用情報Ｉｕに含まれている現在ポイントと、仮想ポイント演算部１２２が演算して仮想購入情報受付部１２１に記憶している仮想ポイントと、候補データ検索部１２４が検索して記憶しているカード利用者が希望するサービスの候補データに関するカード付随情報Ｉｓとから、カード利用者が希望するサービスの候補データ毎に、そのサービスを受けるのに適したカード利用方法を表した推奨データを編集し、ユーザ端末４００に出力する。
【００２３】
申込受付登録部１３０は、ユーザ端末４００、…から、ポイント制度、キャンペーン等といったカード利用特典によってユーザが受けることができるサービスのうち、カード利用者が希望するサービスの利用申込を受け付け、ユーザ端末４００、…毎に、対応するカード会社に申込登録を行う。
【００２４】
ユーザデータＤＢ１４０は、ユーザ端末４００から入力され、カード情報取得部１１０が受け付けたカード番号、カード会社等に関するカード情報Ｉｃと、カード情報取得部１１０がこの受け付けたカード情報Ｉｃに基づいてカード会社のコンピュータ３００から取得した、ユーザ、すなわちカード番号に対応するカード利用情報Ｉｕとを、対応づけて格納するデータベースである。
【００２５】
本実施の形態の場合、カード付随情報ＤＢ１５０は、カード情報取得部１１０が受け付けたカード情報Ｉｃに基づいて、カード会社のコンピュータ３００から取得した、ポイント制度、キャンペーン等といったカード利用特典によってユーザが受けることができるサービスに関するカード付随情報Ｉｓを、カード情報Ｉｃのカード会社に対応づけて格納するデータベースである。
このように構成された本実施の形態によるカード利用一括管理システム１００においては、カード利用者は、次のようにして自身の所持するカードのカード利用情報Ｉｕ、カード付随情報Ｉｓの取得を行う。
【００２６】
まず、カード利用者は、通信ネットワーク２００を介して、ユーザ端末４００をカード利用一括管理システム１００に接続する。
その際、カード利用一括管理システム１００は、カード利用者又はユーザ端末４００の認証処理を行い、プライバシーに関わるカード利用情報Ｉｕの提供に支障ないと確認したならば、カード利用者が所持するカードのカード情報Ｉｃの登録入力を、ユーザ端末４００に案内する。
【００２７】
図３は、ユーザ端末からカード利用者自身のカードのカード番号等といったカード情報を登録する場合の画面例の説明図である。
すなわち、前述のカード利用一括管理システム１００によるカード情報Ｉｃの登録案内によって、ユーザ端末４００には、図３に示すカード情報登録画面Ｄ１が現われる。
【００２８】
本実施の形態では、このカード情報登録画面Ｄ１は、複数のカード（例えば、Ｎｏ．１、Ｎｏ．２、Ｎｏ．３、…）それぞれについて、カード会社入力フィールドｄ１１と、カード番号入力フィールドｄ１２とが形成されている。なお、このカード会社入力フィールドｄ１１に入力可能なカード会社の中には、信販会社、銀行等の金融機関に加え、販売促進のために専用の特典カードを発行するメーカや店舗等が含まれる。
【００２９】
そして、カード利用者は、このカード情報登録画面Ｄ１において、自身が所持するカードそれぞれのカード会社、例えばＡ、Ｂ、Ｃを登録し、カード番号、例えば‘１２３４５６７’、‘１２２２３３３’、‘１４４４５５５’を入力し、登録キーＥの操作によって登録する。
【００３０】
これら入力されたカード会社、カード番号は、カード情報Ｉｃとして、カード利用者端末４００から、通信ネットワーク２００を介して、カード利用一括管理システム１００に送信される。
そして、この送信されたカード情報Ｉｃは、カード利用一括管理システム１００のカード情報取得部１１０によって、図４に示すように受付／取得処理される。
【００３１】
図４は、カード情報取得部による受付／取得処理のフローチャートである。
（１）　カード情報取得部１１０は、ユーザ端末４００から登録入力された、所持するカードそれぞれのカード番号、カード会社等に関するカード情報Ｉｃを受け付け、カード利用者毎、又はユーザ端末４００毎に対応づけて、ユーザデータＤＢ１４０に格納する（ステップＳ４１）。
【００３２】
（２）　カード情報取得部１１０は、ステップＳ４１によって受け付けられた利用カードそれぞれについて、カード利用情報Ｉｕの取得が可能であるか否かを、カード情報Ｉｃのカード番号及びカード会社を基に、通信ネットワーク２００を介して、該当するカード会社のコンピュータ３００に対して問い合わせる（ステップＳ４２）。
なお、このカード利用一括管理システム１００からカード会社のコンピュータ３００への問合せに当たっては、カード会社によって、カード利用一括管理システム１００自体の認証も、必要があれば行われる。
このステップＳ４２の判定で、カード会社のコンピュータ３００から、問い合わせたカードのカード利用情報Ｉｕの情報取得が不可である旨の回答があれば、カード情報取得部１１０は、後述のステップＳ４５の処理に移る。
【００３３】
（３）　ステップＳ４２の判定で、問い合わせたカードのカード利用情報Ｉｕの取得が可能であれば、カード情報取得部１１０は、そのカード会社のコンピュータ３００から、カード利用者、すなわちカード情報取得部１１０によって取得されたカード情報Ｉｃのカード番号に対応するカード利用情報Ｉｕを取得する。そして、取得したカード利用情報Ｉｕを、ユーザデータＤＢ１４０にカード情報Ｉｃと対応づけて格納する（ステップＳ４３）。
図５は、このときのユーザデータＤＢに記憶されたカード情報、カード利用情報の関係を便宜的に示した図である。
【００３４】
（４）　ステップＳ４３の処理後、カード情報取得部１１０は、カード会社のコンピュータ３００から、ポイント制度、キャンペーン等といったカード利用特典によってユーザが受けることができるサービスに関するカード付随情報Ｉｓを取得し、カード情報Ｉｃのカード会社別、すなわちカード別に対応づけてカード付随データＤＢ１５０に蓄積する（ステップＳ４４）。
【００３５】
図６は、このときのカード付随データＤＢに格納されたカード情報のカード会社、カード付随情報の関係を便宜的に示した図である。
したがって、本実施の形態の場合は、カード付随データＤＢ１５０に、他のカード利用者に対するカード情報取得部１１０の受付／取得処理によって、同じカード会社のカード付随情報Ｉｓが既に格納されている場合は、そのカード付随付随情報Ｉｓが上書きされ、カード付随データＤＢ１５０に既に格納されているカード付随情報Ｉｓが更新されることになる。
【００３６】
なお、上記ステップＳ４４のカード付随情報Ｉｓの取得及びカード付随データＤＢ１５０への処理は、例えば、ユーザ端末４００からのカード情報Ｉｃの受け付け処理とは関係なく、独自に定期的、又はカード会社のコンピュータ３００からの指示に基づき行割なわれるように構成されていてもよい。そして、このような場合は、図４においてステップＳ４４で示す処理は不要になる。
（５）　カード情報取得部１１０は、ステップＳ４４の処理後、または、ステップＳ４２の判定でカードの情報取得が不可だった場合、カード利用者によってユーザ端末４００から登録入力された利用カード登録数分のカード利用情報Ｉｕ、カード付随情報Ｉｓを取得することを終了したか否かを判定する（ステップＳ４５）。
【００３７】
カード情報取得部１１０は、利用カード登録数分の情報取得が未だ終了していない場合は、ステップＳ４２〜Ｓ４５の処理を繰り返し、利用カード登録数分の情報取得が終了するまで処理を実行して終了する。
なお、本実施の形態のステップＳ４５の判断では、前述のステップＳ４２の判定で、カード会社から、問い合わせたカードについてのカード利用情報Ｉｕの情報取得が不可であると判定されたカードも、カード利用情報Ｉｕ、カード付随情報Ｉｓの取得が終了しているカードと看なして処理する。
【００３８】
そして、カード利用者によってユーザ端末４００から登録入力された利用カード登録数分のカード利用情報Ｉｕ、カード付随情報Ｉｓを、カード情報取得部１１０が取得すると、カード情報取得部１１０は、推奨データ生成部１２０にカード利用情報Ｉｕ、カード付随情報Ｉｓの取得終了を出力する。
【００３９】
このカード情報取得部１１０からの情報の取得終了を受けて、推奨データ生成部１２０の仮想購入情報受付部１２１は、カード利用者が新たに購入を予定している商品についての購入商品分類、購入金額等に関する仮想購入情報Ｉｂの入力をユーザ端末４００に案内する。
【００４０】
図７は、ユーザ端末からカード利用者がカードを利用して購入予定の商品分類及び金額を表す仮想購入情報を登録する場合の画面例の説明図である。
すなわち、ユーザ端末４００では、カード情報登録画面Ｄ１によるカード情報Ｉｃの登録入力後、カード利用一括管理システム１００側でこのカード情報Ｉｃに対応するカード利用情報Ｉｕ、カード付随情報Ｉｓがカード会社のコンピュータ３００から取得された後、図７に示した仮想購入情報の登録画面Ｄ２が表示される。
【００４１】
本実施の形態では、仮想購入情報Ｉｂを登録する画面Ｄ２には、購入予定の商品毎に、購入商品分類入力フィールドｄ２１と、購入金額入力フィールドｄ２２と、購入商品キーワード入力フィールドｄ２３とが形成されている。
図７では、カード利用者が、例えば、靴の購入を予定している場合に、ユーザ端末４００を操作して、仮想購入情報登録画面Ｄ２において、購入商品分類入力フィールドｄ２１には‘靴・鞄’を選択し、購入金額入力フィールドｄ２２にはその価格、例えば２０、０００円を、購入商品キーワードとしては‘靴’を入力し、登録キーＥの操作によって入力した状態を表している。
【００４２】
これら入力された購入商品分類、購入金額、購入商品キーワードは、登録キーＥの操作により、仮想購入情報Ｉｂとして、ユーザ端末４００から、通信ネットワーク２００を介して、カード利用一括管理システム１００に送信される。
そして、この仮想購入情報Ｉｂに対しては、カード利用一括管理システム１００の仮想購入情報受付部１２１及び仮想ポイント演算部１２２によって、図８に示した仮想購入受付／演算処理が行われる。
【００４３】
図８は、仮想購入情報受付部と仮想ポイント演算部とによる仮想購入受付／演算処理のフローチャートである。
次に、この仮想購入受付／演算処理について説明する。
（１）　仮想購入情報受付部１２１は、ユーザ端末４００からの購入商品分類、購入金額、購入商品キーワードに関する仮想購入情報Ｉｂを受け付け、記憶する（ステップＳ８１）。
【００４４】
（２）　仮想購入情報受付部１２１は、ユーザデータＤＢ１４０に当該カード利用者又はユーザ端末４００に対応させて格納されている利用カード登録数分のカード利用情報Ｉｕから、カード毎、すなわちカード会社毎の現在ポイント数を読み出し、これを記憶する（ステップＳ８２）。
さらに、本実施の形態の場合、仮想購入情報受付部１２１は、上記カード会社毎の現在ポイント数の読み出しと併せ、カード付随データＤＢ１５０にカード会社に対応させて格納されているカード付随情報Ｉｓから、各カード毎すなわちカード会社毎のポイント料率データ（すなわち、ポイント数／金額で表される換算値）を読み出し、これも記憶する。
【００４５】
（３）　ステップＳ８２の処理後、仮想購入情報受付部１２１は、利用カード登録数分だけ、次に説明する仮想ポイント演算部１２２による仮想ポイント演算が終了したか否かを判定する（ステップＳ８３）。
仮想購入情報受付部１２１は、まだ、利用カード登録数分のカード全てについて、仮想ポイント演算部１２２による仮想ポイント演算が終了していない場合は、ステップＳ８４の処理に移る。
【００４６】
なお、このステップＳ８３の判断では、前述のステップＳ４２の判定で、カード会社から、問い合わせたカードについてのカード利用情報Ｉｕの情報取得が不可であると判定されたカードは、仮想ポイント演算部１２２による仮想ポイント演算が終了していると看なして処理する。
【００４７】
ステップＳ８３の判定で、利用カード登録数分のカード全てについて仮想ポイント演算部１２２による仮想ポイント演算が未だ終了していない場合は、仮想購入情報受付部１２１は、利用カード登録数分のカードのうち、仮想ポイント演算が未だ終了していない一のカードに関して、その現在ポイント数とポイント料率データを、仮想購入情報Ｉｂの購入金額とともに、仮想ポイント演算部１２２に供給する。
仮想ポイント演算部１２２では、これら現在ポイント数、ポイント料率データ、仮想購入情報Ｉｂの購入金額の供給を受けて、カード毎に、次のステップＳ８４、Ｓ８５による仮想ポイント演算を行う。
【００４８】
（４）　まず、仮想ポイント演算部１２２は、仮想購入情報Ｉｂの購入金額とポイント料率データとに基づいて、仮想購入情報Ｉｂの購入金額で新たに獲得できる獲得ポイント数を仮想演算する（ステップＳ８４）。
（５）　次に、仮想ポイント演算部１２２は、この演算した獲得ポイント数に現在ポイント数に加え、累計ポイント数を仮想演算する（ステップＳ８５）。
そして、仮想ポイント演算部１２２は、演算した仮想獲得ポイント数及び仮想累計ポイント数を仮想購入情報受付部１２１に供給し、仮想購入情報受付部１２１は、これらをカード毎に対応させて記憶する。
【００４９】
仮想購入情報受付部１２１は、利用カード登録数のカード分だけ、購入予定金額で獲得できる仮想獲得ポイント数、仮想累計ポイント数を蓄積すると、候補条件認識部１２３に仮想ポイント数の演算終了を出力する。
候補条件認識部１２３は、この仮想ポイント数の演算終了を受けて、カード利用者に、ポイント制度、キャンペーン等といったカード利用特典によってユーザが受けることができるサービスに関して、カード利用者が希望するサービスの候補条件の登録入力を、ユーザ端末４００に案内する。
これにより、図９に示す、カード利用者が希望するサービスの候補条件を登録する場合の候補データ入力画面Ｄ３が、ユーザ端末４００に表示される。
【００５０】
図９は、ユーザ端末からカード利用者が希望するサービスの候補条件を登録する場合の画面例の説明図である。
次に、図９に示した候補条件登録画面Ｄ３により、ポイント制度、キャンペーン等といったカード利用特典によってユーザが受けることができるサービスに関して、カード利用者が希望するサービスの候補条件を登録しようとする場合について説明する。
【００５１】
本実施の形態では、候補条件登録画面Ｄ３には、希望するサービスのサービス形式の種別を入力する種別フィールドｄ３１、希望するサービスの大分類項目を入力するための大分類フィールドｄ３２、希望するサービスの大分類項目の中に含まれる小分類項目をさらに入力するための小分類フィールドｄ３３、希望するサービスのキーワードを入力するための候補データキーワードフィールドｄ３４、及びこれら各フィールドｄ３１〜ｄ３４の優先順位を指定するための優先順位フィールドｄ３５が形成されている。
【００５２】
そして、カード利用者は、ユーザ端末４００に表示される候補条件登録画面Ｄ３を参照して、次のようにして希望するサービスの候補条件を登録する。
まず、カード利用者は、この候補条件登録画面Ｄ３内の種別フィールドｄ３１から、希望するサービスのサービス形式の種別（ポイント交換、抽選、全員等）を選択する。なお、図中、Ｓは、項目内用のデータ選択のためのスクロールキーである。
【００５３】
次に、カード利用者は、大分類フィールドｄ３２から、希望するサービスの候補条件の大分類（例えば、レジャー、生活用品、金券等）を選択する。
ここで、カード利用者が大分類フィールドｄ３２で希望するサービスの大分類を選択した場合は、この選択した大分類の候補条件に含まれる、さらに具体的な候補条件の内容が、小分類フィールドｄ３３に表示される。例えば、大分類フィールドｄ３２で‘レジャー’を選択した場合は、選択した大分類項目の候補条件‘レジャー’に含まれている、さらに具体的な候補条件‘テーマパーク’、‘旅行’、‘温泉’等の小分類項目が、小分類フィールドｄ３３に表示される。この小分類フィールドｄ３３による具体的な候補条件の表示に伴い、カード利用者は、その表示内容を参照しながら、希望するサービスの具体的な候補条件を選択する。
【００５４】
また、カード利用者は、希望するサービスについて、その具体的内容が明確になっている場合は、候補データキーワードフィールドｄ３４に希望するサービスのキーワードを候補条件として入力する。例えば、カード利用者は、希望するサービスとして‘テーマパーク名ＸＸＸ’が明確になっている場合は、この‘テーマパーク名ＸＸＸ’を、候補データキーワードフィールドｄ３４にキー入力する。
また、カード利用者は、候補条件登録画面Ｄ３内の優先順位フィールドｄ３５に、前述した種別、分類、キーワードのうち、検索された候補データの出力で優先する順位があれば、その順位を指定入力する。
【００５５】
なお、候補条件登録画面Ｄ３においては、種別、分類、キーワードの各項目ｄ３１、ｄ３２・ｄ３３、ｄ３４は、その何れかが入力されていれば、利用候補データを検索することができるので、必ずしも、これら種別、分類、キーワードの全項目ｄ３１〜ｄ３４を入力することは必須ではない。また、優先順位フィールドｄ３５の順位指定入力も、必須ではない。
【００５６】
そして、カード利用者は、候補条件登録画面Ｄ３によって、希望するサービスの候補条件を入力し終えたならば、登録キーＥを操作して登録する。
これにより、カード利用者が希望するサービスの候補条件がユーザ端末４００からカード利用一括管理システム１００に送信され、候補条件認識部１２３により取得される。候補条件認識部１２３は、受信した、カード利用者が希望するサービスの候補条件を、後述する候補データ検索部１２４の検索条件として記憶する。
【００５７】
なお、本実施の形態では、カード利用者は、この候補条件登録画面Ｄ３により、希望するサービスの一の候補条件を設定した後、この登録キーＥを操作せずに、続きキーＮを操作することによって、ユーザ端末４００に新たな候補条件登録画面Ｄ３を表示させ、希望する別種のサービスの候補条件を検索のためのオア条件として設定することができる。これにより、希望するサービスの種類が複数ある場合でも、希望するサービスの種類毎に多面的に候補条件を設定することでき、データ認識部１２３に複数の候補条件を登録することができる。
【００５８】
図１０は、候補データ検索部によるカード利用者が希望するサービスの候補データの検索処理のフローチャートである。
次に、この候補データ検索部１２４による候補データの検索処理について説明する。
（１）　候補データ検索部１２４は、候補条件認識部１２３が記憶した、カード利用者が希望するサービスの候補条件を、検索条件として読み込む（ステップＳ１０１）。
【００５９】
（２）　候補データ検索部１２４は、ステップＳ１０１の処理後、利用カード登録数分それぞれについて、この読み込んだ検索条件に基づく、カード利用者が希望するサービスの候補データの検索が終了したか否かを判定する（ステップＳ１０２）。
候補データ検索部１２４は、利用カード登録数分全てについて、未だ検索が終了していない場合は、ステップＳ１０３の処理に移る。すなわち、候補データ検索部１２４は、利用カード登録数分それぞれについて、カード利用者が希望するサービスの候補データの検索が終了するまでは、次に述べるステップＳ１０３、Ｓ１０４の検索処理を、カード毎に繰り返し行う。
【００６０】
（３）　ステップＳ１０２の判定で、未だ利用カード登録数分の候補データの検索が終了していない場合、検索が済んでいない一のカード毎に、ステップＳ１０１で読み込んだ当該カードの候補条件に適合する候補データを、カード付随データＤＢ１５０に蓄積されている当該カードのカード付随情報Ｉｓから検索し、検索結果を蓄積する。（ステップＳ１０３、Ｓ１０４）。
【００６１】
そして、候補データ検索部１２４は、利用カード登録数分の全てのカードについて、カード利用者が希望するサービスの候補データの検索・蓄積を終えると、この検索・蓄積したカード利用者が希望するサービスの候補データを、ユーザデータＤＢ１４０にカード利用者のカード情報Ｉｃと対応づけて格納するとともに、推奨データ出力部１２５に、候補データの検索終了を出力する。
【００６２】
なお、図５において、破線で示した候補データ部分は、この候補データ検索部１２４によって検索された候補データが、ユーザデータＤＢ１４０にカード利用者のカード情報Ｉｃと対応づけて格納された状態を示している。
推奨データ出力部１２５は、候補データ検索部１２４からの候補データの検索終了を受信して、ユーザ端末４００に送信する推奨データを編集出力する。
【００６３】
図１１は、推奨データ出力部の推奨データ編集出力処理のフローチャートである。
（１）　推奨データ出力部１２５は、候補データ検索部１２４が検索して蓄積した利用カード登録数分のカードそれぞれについての、候補データを読み込む（ステップＳ１１１）。
（２）　次に、推奨データ出力部１２５は、仮想購入情報受付部１２１が記憶している利用カード登録数のカードそれぞれについての、現在ポイント数、購入予定金額、購入予定金額で獲得できる仮想獲得ポイント数及び仮想累計ポイント数、等を読み込む（ステップＳ１１２）。
【００６４】
（３）　その上で、推奨データ出力部１２５は、利用カード登録数分カードそれぞれについて、候補データ別に、候補データのサービスをカード利用者が受けるために必要な規定ポイント数に対する仮想累計ポイント数の過不足、これに基づく当該候補サービスの利用申込可否の判定、等を演算する等して、候補データ別の推奨データを編集作成する（ステップＳ１１３）。
【００６５】
（４）　そして、推奨データ出力部１２５は、例えば、この候補データ別に編集作成した出力データのうちの過不足データに基づき、仮想購入情報に基づく購入を実施した時点で、利用可能な候補データから順にソートする（ステップＳ１１４）。
なお、この際、推奨データ出力部１２５は、前述の候補条件登録画面Ｄ３内の優先順位フィールドｄ３５に入力された、前述した種別、分類、キーワードのうち、候補データの出力で優先する順位が候補条件として定められている場合は、さらに、利用可能な候補データをその優先順位にしたがってソートする
【００６６】
（５）　そして、推奨データ出力部１２５は、これらソートしたデータを、ユーザ端末４００に対する推奨データの出力パターン用に編集する（ステップＳ１１５）。
（６）　その後、推奨データ出力部１２５は、ステップＳ１１５で編集した結果を、対応するカード利用者のユーザ端末４００に通信ネットワーク２００を介して送信する（ステップＳ１１６）。
このようにして、カード利用一括管理システム１００に、所持するカードのカード情報Ｉｃ、購入予定の商品についての仮想購入情報、希望するサービスの候補条件を登録したカード端末４００には、カード利用一括管理システム１００から、その希望するサービスを受けるためにはどのようなカード利用方法が適しているかを示す推奨データが送信されてくる。
【００６７】
図１２は、ユーザ端末に表示される推奨データ出力画面の例の説明図である。図１２に示す推奨データ出力画面Ｄ４は、推奨データ例として３つの推奨サービスフィールドＤ４ａ〜Ｄ４ｃが表示されている状態を示している。
各推奨サービスフィールドＤ４ａ〜Ｄ４ｃの表示は、カード（カード会社）名が表示されるカード名フィールドｄ４０１、当該サービスの有効期間（申込期間）が表示される有効期間フィールドｄ４０２、現在のポイント数が表示される現在ポイント数フィールドｄ４０３、当該推奨サービスフィールドＤ４ａ〜Ｄ４ｃのサービスを受けるために必要な対象ポイント数が表示される対象ポイント数フィールドｄ４０４、仮想購入情報の購入予定金額で獲得できる仮想獲得ポイント数が表示される仮想獲得ポイント数フィールドｄ４０５、購入予定金額で獲得できる仮想累計ポイント数が表示される仮想累計ポイント数フィールドｄ４０６、対象ポイント数に対しての仮想累計ポイント数の過不足が表示される不足ポイント数フィールドｄ４０７、当該推奨サービスフィールドＤ４ａ〜Ｄ４ｃにおけるサービスの形式の種別が表示される種別フィールドｄ４０８、当該推奨サービスフィールドＤ４ａ〜Ｄ４ｃにおけるサービスの大分類項目が表示される大分類フィールドｄ４０９、当該推奨サービスフィールドＤ４ａ〜Ｄ４ｃにおけるサービスの小分類項目が表示される小分類フィールドｄ４１０、当該推奨サービスフィールドＤ４ａ〜Ｄ４ｃのサービス項目（名称）が表示される項目フィールドｄ４１１、仮想購入情報の購入を実施した場合、当該推奨サービスＤ４ａ〜Ｄ４ｃの利用を申込できるか否かの判定結果が表示される判定フィールドｄ４１２を備えている。
【００６８】
例えば、図１２に示した推奨データ出力画面Ｄ４における推奨サービスフィールドＤ４ａには、カード利用者が、図７に示した候補条件登録画面Ｄ３から、例えば、種別フィールドｄ３１に、希望するサービスのサービス形式の種別として‘抽選’を、大分類フィールドｄ３２で希望するサービスの大分類として‘レジャー’を、小分類フィールドｄ３３で希望するサービスの小分類として‘テーマパーク’を選択した場合の結果が表されている。
【００６９】
この推奨サービスフィールドＤ４ａでは、カード会社Ａ、ポイントの積立有効期間（サービスの申込有効期間）が２００２．２．１５〜２００２．３．３１、現在の利用ポイント、この場合は１円／１ポイントで、利用金額が２０５００円、抽選の申込対象は、１口２００００ポイント（円）のカード利用、仮想購入金額により獲得できるポイントが２００００ポイント（円）、累計が４０５００ポイント（円）、過不足が１口の場合で２０５００ポイント（円）の余り、又、２口の場合では５００ポイント（円）円の余り、サービス項目は‘ＸＸＸ’、この推奨サービスが申込可能であることが表されている。
【００７０】
同様に、推奨サービスフィールドＤ４ｂには、カード利用者が、図７に示した候補条件登録画面Ｄ３から、例えば、種別フィールドｄ３１に、希望するサービスのサービス形式の種別として‘ポイント交換’を、大分類フィールドｄ３２で希望するサービスの大分類として‘金券’を、小分類フィールドｄ３３で希望するサービスの小分類として‘図書券’を選択した場合の結果が表されている。
【００７１】
この推奨サービスフィールドＤ４ｂでは、カード会社Ｂ、ポイントの積立有効期間が２００１．４．１〜２００２．３．３１、現在の利用ポイントが４０２ポイント、サービス項目の交換に必要な対象ポイントが４００ポイント、仮想購入金額により獲得できるポイントが２０ポイント、累計が４０２ポイント、過不足が２２ポイントの余り、サービス項目は‘２０００円図書券’、この推奨サービスが申込可能であることが表されている。
同様に、推奨サービスフィールドＤ４ｃには、カード利用者が、図７に示した候補条件登録画面Ｄ３から、例えば、候補データキーワードフィールドｄ３４に‘ペアグラス’を指定した場合の結果が表されている。
【００７２】
この推奨サービスＤ４ｂでは、カード会社Ｂ、ポイントの積立有効期間が２００１．４．１〜２００２．３．３１、現在の利用ポイントが４０２ポイント、サービス項目の交換に必要な対象ポイントが４８０ポイント、仮想購入金額により獲得できるポイントが２０ポイント、累計が４２２ポイント、過不足が５８ポイントの不足、サービス項目は‘ペアグラス’、この推奨サービスが申込不可であることが表されている。
【００７３】
また、各推奨サービスＤ４ａ〜Ｄ４ｃの表示には、これら各フィールドｄ４０１〜ｄ４１２に加えて、適宜、詳細キーＰと、申込キーＲとが表示される。
本実施の形態では、詳細キーＰは、項目フィールドｄ４１１に表示されたサービス項目の内容以外に、さらに推奨サービスの詳細データが、カード付随データＤＢ１５０に蓄積されている当該カードのカード付随情報Ｉｓから検索された当該候補データの中に含まれている場合は、推奨データ出力画面Ｄ４に表示される。
【００７４】
推奨データ出力画面Ｄ４における詳細キーＰの表示は、前述した推奨データ出力部１２５による推奨データ出力編集処理（図１１のステップＳ１１５）において、検索した候補データのデータ内容に基づき設定される。
ここで、推奨データ出力画面内の詳細キーＰを操作した場合に、ユーザ端末４００に表示される詳細情報表示画面Ｄ５ついて、説明する。
【００７５】
図１３は、ユーザ端末に表示される推奨データの詳細情報表示画面の説明図である。
図１３は、図１２に示した推奨データ出力画面Ｄ４の推奨サービスフィールドＤ４ｂに表示された詳細キーＰを操作した場合に、推奨データ出力画面Ｄ４に代えてユーザ端末４００に表示される詳細情報表示画面Ｄ５ｂを示したものである。
【００７６】
本実施の形態の詳細情報表示画面Ｄ５ｂでは、詳細データとして、サービス商品名が商品名フィールドｄ５１に、このサービス商品の利用等についての有効期間が実施有効期間フィールドｄ５２に、この場合の宿泊先等のような個別事項の情報が事項フィールドｄ５３にそれぞれ表示されている。なお、図１３に示した詳細情報表示画面Ｄ５ｂにおいて、図１２に示した推奨データ出力画面Ｄ４におけるフィールドと変わらないフィールドｄ４０１〜ｄ４１２については、同一符号ｄ４０１〜ｄ４１２を付して、その説明を省略する。
【００７７】
また、本実施の形態では、申込キーＲは、推奨データ出力画面Ｄ４及び詳細情報表示画面Ｄ５において、現在ポイント数フィールドｄ４０３に表示される現在のポイント数が、対象ポイント数フィールドｄ４０４に表示される推奨サービスを受けるために必要な対象ポイント数が表示される対象ポイント数を超えている場合に表示される。
【００７８】
この推奨データ出力画面Ｄ４及び詳細情報表示画面Ｄ５における申込キーＲの表示は、前述した推奨データ出力部１２５による推奨データ出力編集処理（図１１のステップＳ１１５）において、検索した候補データのデータ内容に基づき設定される。
【００７９】
これにより、仮想購入を実施せずとも、現在の時点でサービス利用の申込ができる推奨サービスＤ４ａについては、この推奨データ出力画面Ｄ４及び詳細情報表示画面Ｄ５に表示されている申込キーＲを操作することによって、カード利用者は、希望するサービスの申込手続を、申込先のカード会社の別なく簡単な手続で対応するカード会社に申し込み登録することができる。
【００８０】
カード利用者が、申込キーＲを操作すると、図１に示したカード利用一括管理システム１００の申込受付登録部１３０がこれを受信し、カード利用者に代行して、カード利用者のカード情報Ｉｃと対応づけて候補データが格納されているユーザデータＤＢ１４０の記憶内容に基づき、通信ネットワーク２００を会して、申込先のカード会社のコンピュータ３００に申込の登録を行う。
【００８１】
以上、本実施の形態のカード利用一括管理システム１００によれば、カード利用者は、推奨データ出力画面Ｄ４及び詳細情報表示画面Ｄ５の表示を参考に、購入予定商品をどのカード会社のカードを使用して購入するの好ましいか、カード利用者自身の希望するサービス、及びそのサービスを受けるために必要なポイント制度、キャンペーン等といったカード利用特典の状況等との関係で、確認できる。
したがって、どのようなカード利用方法が、希望するサービスを受けるために適しているかを、所持するカードの種類に関係なく、一括して比較案内することによって、カード利用者に提示することができる。
【００８２】
また、ユーザが希望するサービスの申込手続も、申込先のカード会社の別なく、簡単な手続で対応するカード会社に、カード利用一括管理システム１００から申し込み登録できる。
なお、本発明は上記実施の形態に限定されるものではない。
【００８３】
例えば、上記実施の形態のカード利用一括管理システム１００では、図７に示した仮想購入情報の登録画面Ｄ２により、仮想購入情報Ｉｂを登録してから、図９に示した候補条件登録画面Ｄ３により、希望するサービスの候補データの条件を登録するように構成したが、これら画面Ｄ２、Ｄ３における登録の仕方等は本実施の形態に限るものではなく、また、仮想購入情報の登録と、希望するサービスの候補データの条件登録とは、順序が逆であってもよい。そして、仮想購入情報の登録と、希望するサービスの候補データの条件登録とを逆にした場合は、図１２に示した推奨データ出力画面Ｄ４によって、どのようなカード利用方法が希望するサービスを受けるために適しているかを提示する前に、希望するサービスの候補データの一覧等を表示するように構成してもよい。
【００８４】
また、図１２に示した推奨データ出力画面Ｄ４も、どのようなカード利用方法が希望するサービスを受けるために適しているかをカード利用者に提示できるものであるならば、上記実施の形態に限定されない。
また、上記実施の形態のカード利用一括管理システム１００では、ポイント制度、キャンペーン等といったカード利用特典によってユーザが受けることができるサービスに関するカード付随情報Ｉｓを、ユーザ自身のカード利用状況に関するカード利用情報Ｉｕの取得時に、カード会社のコンピュータ３００から一緒に取得するように構成したが、カード付随情報Ｉｓの取得タイミングはこれに限るものではない。例えば、１日／１回、カード利用一括管理システム１００が、カード会社のコンピュータ３００それぞれから定期的にカード付随情報Ｉｓを取得してカード付随情報ＤＢ１５０に蓄積し、ユーザ端末４００によって候補データ等を調べる際には、カード付随情報ＤＢ１５０に蓄積済みのカード付随情報Ｉｓを基に調べることとしてもよい。
【００８５】
さらに、本実施の形態では、図１において、カード利用一括管理システム１００は、それぞれのカード会社とは別の、専門会社に配置されるよう表されているが、カード会社内に配置され、当該カード会社専用の利用者サービスに適用されるものであってもよい。
このように、本発明のカード利用一括管理システム１００においては、その実施の形態において、種々の変形が可能である。
【００８６】
【発明の効果】
以上、本発明のカード利用一括管理システム及び管理方法によれば、複数のカードのカード利用情報とカード付随情報を一括管理して、ポイント制度、キャンペーン等といったカード利用特典によってユーザが受けることができるサービスのうち、カード利用者が希望するサービスを受けるために適したカード利用方法をカード利用者に提示することができる。
【００８７】
また、本発明のカード利用一括管理システムによれば、カード利用者は、希望するサービスの申込を、申込先の別なくかつ簡単な手続で、対応する申込先に申込登録を行うことができる。
【図面の簡単な説明】
【図１】本発明の一実施の形態によるカード利用一括管理システムを適用した、カードシステム全体の構成を示すブロック図である。
【図２】本実施の形態によるカード利用一括管理システムの構成を示すブロック図である。
【図３】ユーザ端末からカード利用者自身のカードのカード番号等といったカード情報を登録する場合の画面例の説明図である。
【図４】カード情報取得部による受付／取得処理のフローチャートである。
【図５】ユーザデータＤＢに記憶されたカード情報、カード利用情報の関係を便宜的に示した図である。
【図６】カード付随データＤＢに格納されたカード情報、カード付随情報の関係を便宜的に示した図である。
【図７】ユーザ端末からカード利用者がカードを利用して購入予定の商品分類及び金額を表す仮想購入情報を登録する場合の画面例の説明図である。
【図８】仮想購入情報受付部と仮想ポイント演算部とによる仮想購入受付／演算処理のフローチャートである。
【図９】ユーザ端末からカード利用者が希望するサービスの候補条件を登録する場合の画面例の説明図である。
【図１０】候補データ検索部によるカード利用者が希望するサービスの候補データの検索処理のフローチャートである。
【図１１】推奨データ出力部の推奨データ編集出力処理のフローチャートである。
【図１２】ユーザ端末に表示される推奨データ出力画面の例の説明図である。
【図１３】ユーザ端末に表示される推奨データの詳細情報表示画面の説明図である。
【符号の説明】
１００　カード利用一括管理システム
１１０　カード情報取得部
１２０　推奨データ生成部
１２１　仮想購入情報受付部
１２２　仮想ポイント演算部
１２３　候補条件認識部
１２４　候補データ検索部
１３０　申込受付登録部
１４０　ユーザデータＤＢ
１５０　カード付随情報ＤＢ
２００　通信ネットワーク
３００　カード会社のコンピュータ
４００　ユーザ端末
【図１】
2004038742.tif 000003
【図２】
2004038742.tif 000004
【図３】
2004038742.tif 000005
【図４】
2004038742.tif 000006
【図５】
2004038742.tif 000007
【図６】
2004038742.tif 000008
【図７】
2004038742.tif 000009
【図８】
2004038742.tif 000010
【図９】
2004038742.tif 000011
【図１０】
2004038742.tif 000012
【図１１】
2004038742.tif 000013
【図１２】
2004038742.tif 000014
【図１３】
2004038742.tif 000015